Podtech/llm-jp-corpus-v4-ja_patent huggingface dataset:
【手続補正書】
【提出日】平成26年9月17日(2014.9.17)
【手続補正１】
【補正対象書類名】特許請求の範囲
【補正対象項目名】全文
【補正方法】変更
【補正の内容】
【特許請求の範囲】
【請求項１】
コンピュータ実装される方法であって：
マルチ・アプリケーション環境内の複数のアプリケーションに関連する複数のインターフェースをディスプレイ上に呈示する段階であって、前記複数のインターフェースのうち少なくとも一つは前記マルチ・アプリケーション環境の第一の領域を占める没入型インターフェースであり、前記複数のインターフェースのうちもう一つの他のインターフェースは前記没入型インターフェースによって占められる第一の領域とはサイズが異なる前記マルチ・アプリケーション環境の第二の領域を占める、段階と；
前記没入型インターフェースを通じて第一のコンテンツを、前記他のインターフェースを通じて第二のコンテンツを呈示する段階と；
ジェスチャーの第一の部分を介して、前記マルチ・アプリケーション環境内の前記没入型インターフェースの位置を変更するユーザー選択の開始を受領する段階と；
前記ユーザー選択の開始に応答して、前記没入型インターフェースを前記没入型インターフェースを表わす縮小サイズの画像に縮小し、前記縮小サイズの画像は前記マルチ・アプリケーション環境上に呈示される、段階と；
前記ユーザー選択を完了する前記ジェスチャーの第二の部分に基づいて、前記没入型インターフェースを呈示すべき前記第二の領域の選択を判別する段階であって、前記ジェスチャーの前記第二の部分は前記縮小サイズの画像の前記第二の領域への移動によって示される、段階と；
前記第二の領域のサイズに基づいて、前記縮小サイズの画像を前記第二の領域の少なくとも一部に拡大して前記没入型インターフェースを呈示し、並行して前記他のインターフェースを前記第一の領域または前記マルチ・アプリケーション環境の第三の領域に動かす段階とを含む、
コンピュータ実装される方法。
【請求項２】
前記縮小サイズの画像が前記没入型インターフェースおよび前記没入型インターフェースによって呈示される前記第一のコンテンツの画像である、請求項１記載のコンピュータ実装される方法。
【請求項３】
前記第一のコンテンツを呈示することが、第一の動いている視覚的メディアをリアルタイムで呈示し、
前記第二のコンテンツを呈示することが、第二の動いている視覚的メディアをリアルタイムで呈示する、
請求項１記載のコンピュータ実装される方法。
【請求項４】
前記没入型インターフェースが、少なくとも一つのウインドー・ベースのインターフェースまたはタスクバーを有するデスクトップを表す第一の没入型インターフェースであり、前記他のインターフェースが動いている視覚的メディアを呈示する第二の没入型インターフェースである、請求項１記載のコンピュータ実装される方法。
【請求項５】
前記ウインドー・ベースのインターフェースに関連するアプリケーションとの、前記マルチ・アプリケーション環境を通じた対話を可能にすることをさらに含む、請求項４記載のコンピュータ実装される方法。
【請求項６】
前記デスクトップがさらにタスクバーを含み、当該方法がさらに、前記マルチ・アプリケーション環境を通じて前記タスクバーとの対話を可能にすることを含む、請求項４記載のコンピュータ実装される方法。
【請求項７】
前記第一のコンテンツまたは前記第二のコンテンツが前記マルチ・アプリケーション環境によって前記複数のアプリケーションのうちの一つから受領される、請求項１記載のコンピュータ実装される方法。
【請求項８】
前記他のインターフェースがウインドー・ベースのインターフェースである、請求項１記載のコンピュータ実装される方法。
【請求項９】
前記没入型インターフェースが可視的なコントロールを含まない、請求項１記載のコンピュータ実装される方法。
【請求項１０】
コンピュータ実装される方法であって：
マルチ・アプリケーション環境内の複数のアプリケーションに関連する複数のインターフェースをディスプレイ上に呈示する段階であって、前記複数のインターフェースのうち少なくとも一つは前記マルチ・アプリケーション環境の第一の領域を占める没入型インターフェースであり、前記複数のインターフェースのうちもう一つの他のインターフェースは前記マルチ・アプリケーション環境の第二の領域を占める、段階と；
前記没入型インターフェース上でのジェスチャーの第一の部分を受領するのに応答して、前記没入型インターフェースを前記没入型インターフェースを表わす縮小サイズの画像に縮小する段階と；
前記第二の領域上での前記ジェスチャーの第二の部分を受領するのに応答して、前記没入型インターフェースを呈示すべき前記第二の領域の選択を判別する段階であって、前記ジェスチャーの前記第二の部分の受領は前記縮小サイズの画像の前記第二の領域への移動によって示される、段階と；
前記第二の選択に応答して、前記縮小サイズの画像を拡大して前記第二の領域において前記没入型インターフェースを呈示し、前記他のインターフェースを前記マルチ・アプリケーション環境の前記第一の領域において呈示する段階とを含む、
コンピュータ実装される方法。
【手続補正書】
【提出日】平成26年9月9日(2014.9.9)
【手続補正１】
【補正対象書類名】特許請求の範囲
【補正対象項目名】全文
【補正方法】変更
【補正の内容】
【特許請求の範囲】
【請求項１】
ウェブブラウザにより、目的とするナビゲーションに関連するインジケーションを受け取るステップと、
前記インジケーションの受け取りに応答して、複数の異なるソースから取り出されるサイトを表すウェブサイトアクセスエリアを提示するよう前記ウェブブラウザのユーザインターフェースを自動的に変更するステップと
を有し、
前記複数の異なるソースの少なくとも一部は、ユーザのブラウジング傾向に関連付けられる、方法。
【請求項２】
前記インジケーションを受け取るステップは、前記ウェブブラウザのアドレスバー上に又はその中に焦点が置かれているインジケーションを受け取ることを含む、
請求項１に記載の方法。
【請求項３】
前記インジケーションを受け取るステップは、前記ウェブブラウザのアドレスバー上に又はその中に焦点が置かれているインジケーションを受け取ることを含み、前記インジケーションを受け取るステップは、ジェスチャインジケーションを受け取ることを含む、
請求項１に記載の方法。
【請求項４】
前記ウェブサイトアクセスエリアは、パン可能又はスクロール可能である、
請求項１に記載の方法。
【請求項５】
前記ウェブサイトアクセスエリアは、テキストにより且つアイコンの使用によりサイトを提示するよう構成される、
請求項１に記載の方法。
【請求項６】
前記ユーザインターフェース内に現れるアドレスバーを移動させるステップ
を更に有する請求項１に記載の方法。
【請求項７】
前記ユーザインターフェース内に現れるアドレスバーを移動させるステップを更に有し、前記アドレスバーは、前記ウェブサイトアクセスエリアを介して提示可能であるサイトの検索を行う基礎となるテキストを受け取るよう構成される、
請求項１に記載の方法。
【請求項８】
コンピュータにおいて実行される場合に、前記コンピュータに、
ウェブブラウザにより、目的とするナビゲーションに関連するインジケーションを受け取るステップと、
前記インジケーションの受け取りに応答して、複数の異なるソースから取り出されるサイトを表すウェブサイトアクセスエリアを提示するよう前記ウェブブラウザのユーザインターフェースを自動的に変更するステップと、
サイトナビゲーションを可能にするよう前記ウェブサイトアクセスエリアとのユーザインタラクションを有効にするステップと
を実行させ、前記インジケーションを受け取るステップが、前記ウェブブラウザのアドレスバー上に又はその中に焦点が置かれているインジケーションを受け取ることを含む、コンピュータプログラム。
【請求項９】
前記複数の異なるソースの少なくとも一部は、ユーザのブラウジング傾向に関連付けられる、
請求項８に記載のコンピュータプログラム。
【請求項１０】
前記ウェブブラウザのアドレスバー上に又はその中に焦点が置かれているインジケーションを受け取ることは、ジェスチャインジケーションを受け取ることを含む、
請求項８に記載のコンピュータプログラム。
【請求項１１】
請求項８乃至１０のうちいずれか一項に記載のコンピュータプログラムを記憶するコンピュータ可読記憶媒体。
【誤訳訂正書】
【提出日】平成26年5月21日(2014.5.21)
【誤訳訂正１】
【訂正対象書類名】明細書
【訂正対象項目名】００６５
【訂正方法】変更
【訂正の内容】
【００６５】
＜サンプル調製−ＳｉＧＭＡグリコールについてのレンズ抽出＞
上記のようにレンズを調製し、ただし、レンズは脱イオン水で簡単にすすぎ、一晩乾燥させた。すすぎと乾燥の両方を室温で行った。レンズバイアルに５ｍＬのアセトニトリル（ＣＨ３ＣＮ、ＡＣＮ）を加え、レンズとアセトニトリルとの混合物を１時間の間、超音波処理した。そのＧＣバイアルに５００μＬの上清、５０μＬのドデカン／ＡＣＮ（０．０５ｇドデカン／１００ｍＬ  ＡＣＮ）溶液、および１００μＬのＲｅｇｉｓｉｌ  ＲＣ−２試薬（１％のトリクロロシランを含有するＮ，Ｏ−ビス（トリメチルシリル）トリフルオロアセトアミド）を加えた。
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
フォント用のフォント実行命令を低減させるためにコンピューティングデバイスによって実行される方法であって、
前記フォント実行命令内の共通の命令セットであって、前記フォント実行命令内の少なくとも２つの位置に現れる共通の命令セットを識別するステップと、
前記共通の命令セットのための関数を前記フォント実行命令に挿入するステップと、
前記フォント実行命令内の前記共通の命令セットを前記関数に対する呼び出しで置換するステップと
を含む、方法。
【請求項２】
前記識別された共通の命令セットを使用して、第２のフォントのフォント実行命令内の共通の命令セットを識別するステップを含む、請求項１に記載の方法。
【請求項３】
前記フォント実行命令内の前記共通の命令セットを圧縮するときに、所望のファイルサイズの減少閾値を満たすかどうかを判断するステップと、
前記所望のファイルサイズの減少閾値を満たす場合に、前記共通の命令セットのための前記関数を定義するステップと
を備える、請求項１に記載の方法。
【請求項４】
前記所望のファイルサイズの減少閾値を満たすかどうかを判断するステップは、前記フォント実行命令のサイズを減少させるための性能コストを識別することを含む、請求項３に記載の方法。
【請求項５】
前記関数を、前記関数の前記呼び出しを行う、前記共通の命令セットのためのカスタム命令として定義するステップを含む、請求項１に記載の方法。
【請求項６】
命令の置換の閾値数を満たす場合、第１の共通命令のセットを第２の共通命令のセットよりも圧縮について優先させるステップを含む、請求項１に記載の方法。
【請求項７】
第１の共通の命令セットについて第１の関数を定義するステップであって、前記第１の共通の命令セットは、前記フォント実行命令内で識別された第２の共通の命令セット内のネストされた命令セットを備えるステップと、
前記第２の共通の命令セットについて第２の関数を定義するステップと、
前記フォント実行命令内の前記第１の共通の命令セットを、前記定義された第１の関数に対する呼び出しで置換するステップと、
前記フォント実行命令内の前記第２の共通の命令セットを、前記定義された第２の関数に対する呼び出しで置換するステップと
を含む、請求項１に記載の方法。
【請求項８】
フォント用のフォント実行命令を低減させるシステムであって、
プロセッサと、
前記プロセッサによって実行可能な命令を格納するメモリと、
前記フォント実行命令内の共通の命令セットであって、前記フォント実行命令内の少なくとも２つの位置に現れる共通の命令セットを識別し、前記共通の命令セットのための関数を前記フォント実行命令に挿入するように構成された、共通命令識別コンポーネントと、
前記フォント実行命令内の前記共通の命令セットを、前記関数に対する呼び出しで置換するように構成された、命令置換コンポーネントと
を備える、システム。
【請求項９】
前記フォント実行命令内の前記共通の命令セットを圧縮するときに、所望のファイルサイズの減少閾値を満たすかどうかを判断するように構成された、減少決定コンポーネントと、
前記フォントについての命令の置換の閾値数に少なくとも部分的に基づいて、前記フォント実行命令において置換用の１つ又は複数の共通命令のセットについて優先順位をつけるように構成された、共通命令優先順位付けコンポーネントと、
前記共通の命令セットについて前記関数を定義するように構成された共通命令定義コンポーネントと
のうち少なくとも１つを備える、請求項８に記載のシステム。
【請求項１０】
コンピューティングデバイスに、フォント用のフォント実行命令を低減させるためにコンピューティングデバイスによって実行される方法を実行させるコンピュータプログラムであって、前記方法は、
前記フォント実行命令内の共通の命令セットであって、前記フォント実行命令内の少なくとも２つの位置に現れる共通の命令セットを識別するステップと、
前記共通の命令セットのための関数を前記フォント実行命令に挿入するステップと、
前記フォント実行命令内の前記共通の命令セットを前記関数に対する呼び出しで置換するステップと
を含む、コンピュータプログラム。
【手続補正書】
【提出日】平成26年9月4日(2014.9.4)
【手続補正１】
【補正対象書類名】特許請求の範囲
【補正対象項目名】全文
【補正方法】変更
【補正の内容】
【特許請求の範囲】
【請求項１】
色弁別能力を向上させるための光学素子であって、マトリックス材料に分散されたルミネセンス化合物を含み、人が該光学素子を通して見ることを可能にするほどに透明である光学素子。
【請求項２】
前記ルミネセンス化合物が、吸収波長の光を吸収し、および発光波長の光を発光し、ヒト錐体光色素には前記吸収波長より前記発光波長に対する実質的に高い感受性があり；ならびに前記光学素子が、人が該光学素子を通してそれらの色を含有する画像または物体を見ることによってそれらの色をより良好に弁別できるように構成される、請求項１に記載
の光学素子。
【請求項３】
前記光学素子が、該光学素子を通して物体または画像を見たとき、第１の色座標セットを有する第１の色を、第２の色座標セットを有する第２の色に変換して色の弁別を助けるために、可視光を吸収し、発光するように構成され；および前記第１の色座標セットと前記第２の色座標セット間の距離が、少なくとも約０．０２色座標単位である、または少なくとも約０．０２色座標単位である、請求項１または２に記載の光学素子。
【請求項４】
前記第１の色座標セットに最も近い混同色線に垂直な方向の前記第１の色座標セットと前記第２の色座標セット間の距離が、少なくとも約０．０２色座標単位である、請求項３に記載の光学素子。
【請求項５】
Ｍヒト錐体光色素についてのピーク感受性付近の波長領域内の光を吸収し、Ｌヒト錐体光色素についてのピーク感受性付近の波長領域内のより長波長の光を発光する、請求項１〜４のいずれかに記載の光学素子。
【請求項６】
コーティングである、請求項１〜５のいずれかに記載の光学素子。
【請求項７】
接眼レンズである、請求項１〜６のいずれかに記載の光学素子を備えるデバイス。
【請求項８】
アイウェア・アイテムである、請求項１〜６のいずれかに記載の光学素子を備えるデバイス。
【請求項９】
デバイスであって、
電子表示装置と、
請求項１〜６のいずれかに記載の光学素子と
を含み；
前記表示装置から放射された光の少なくとも一部分が、前記光学素子を通過するように、および前記光学素子が、該光学素子を通過する前記表示装置から放射された光の色を変更するように構成されるデバイス。
【請求項１０】
前記光学素子および前記電子表示装置に連結されたタッチスクリーン要素をさらに含み、該タッチスクリーン要素が、
第１の導電層、第２の導電層、および該第１の導電層と該第２の導電層の間のスペーサを含み、前記第１の導電層および前記第２の導電層が、実質的に透明である
電子デバイスであって、
前記タッチスクリーンへの使用者による接触が、前記第１の導電層を前記第２の導電層に接触させて、それによって前記第１の導電層と前記第２の導電層の間に電流を流すことを可能にするように構成され；および
前記表示装置から放射される光の少なくとも一部分が、前記タッチスクリーン要素を通過し、かつ前記光学素子を通過するように構成される、
請求項９に記載の電子デバイス。
【請求項１１】
請求項１〜６のいずれかに記載の光学素子を調製するための方法であって、
前記光学素子に使用するためのルミネセンス化合物を選択することを含み；
前記光学素子が、第１の色座標セットを有する色を、第２の色座標セットを有する色に可視光の吸収および発光によって変換するように構成され；
前記ルミネセンス化合物が、前記第１の色座標セットと前記第２の色座標セットの間の距離が少なくとも約０．０２色座標単位または少なくとも約０．０２色座標単位であるように選択される方法。
【請求項１２】
請求項１〜６に記載の光学素子または請求項７〜８のいずれかに記載のデバイスを、前記光学素子を通して個体が画像または物体を見ることができるような位置に置くことを含む、色弁別能力を向上させる方法。
【請求項１３】
前記個体が、正常色覚を有する、請求項１２に記載の方法。
【請求項１４】
前記個体が、色弁別能力障害を有する、請求項１２に記載の方法。
【請求項１５】
視覚不感受性を補正するための方法であって、
視覚不感受性を有すると同定された個体における視覚不感受性を補正するための請求項１〜６のいずれかに記載の光学素子または請求項７〜９のいずれかに記載のデバイスを選択することを含み；
前記視覚的不感受性が、第１の可視色波長と第２の可視色波長間の弁別に関する不感受性を含む方法。
【誤訳訂正書】
【提出日】平成26年5月7日(2014.5.7)
【誤訳訂正１】
【訂正対象書類名】明細書
【訂正対象項目名】００７３
【訂正方法】変更
【訂正の内容】
【００７３】
ＰＴＭ１微量塩
以下の成分を混ぜる：
硫酸第二銅５Ｈ２Ｏ  ６．０ｇ
ヨウ化ナトリウム  ０．０８ｇ
硫酸マンガン−Ｈ２Ｏ  ３．０ｇ
モリブデン酸塩ナトリウム−２Ｈ２Ｏ  ０．２ｇ
ホウ酸  ０．０２ｇ
塩化コバルト  ０．５ｇ
塩化亜鉛  ２０．０ｇ
硫酸鉄（ＩＩ）−７Ｈ２Ｏ  ６５．０ｇ
ビオチン  ０．２ｇ
硫酸  ５．０  ｍｌ
１リットルの最終量に対する水
濾過し、殺菌し、常温で保存する。
【手続補正書】
【提出日】平成25年11月15日(2013.11.15)
【手続補正１】
【補正対象書類名】特許請求の範囲
【補正対象項目名】全文
【補正方法】変更
【補正の内容】
【特許請求の範囲】
【請求項１】
式(I):
【化１】
2013514359.tif 000001
［式中、
nは、0、1、または2であり;
Xは、水素、アルケニル、シアノ、シクロアルキル、(シクロアルキル)アルキル、ハロ、またはヘテロシクリルから選択され;
R1は、水素またはハロから選択され;
R2は、水素、アルケニル、シアノ、シクロアルキル、(シクロアルキル)アルキル、ハロ、またはヘテロシクリルから選択されるか;あるいは、
R1およびR2は、それらが結合する炭素原子と一緒に、1個のハロ基で適宜置換された6-員芳香環を形成するが;
ただし、XおよびR2のうち少なくとも1つは、アルケニル、シアノ、シクロアルキル、(シクロアルキル)アルキル、ハロ、またはヘテロシクリルから選択され;
各R3は、アルキルであり、ここで、該アルキルは適宜、隣接する炭素原子とともに縮合した3-もしくは4-員環を形成することができるか、あるいはそれが結合する炭素原子とともにスピロ環の3-もしくは4-員環を形成することができ;該縮合環およびスピロ環は、適宜、1もしくは2個のアルキル基で置換されており;
各R4は、独立して、水素または-C(O)R5から選択され;そして、
各R5は、独立して、アルコキシ、アルキル、アリールアルコキシ、アリールアルキル、シクロアルキル、ヘテロシクリル、ヘテロシクリルアルキル、(NRcRd)アルケニル、または(NRcRd)アルキルから選択される］
の化合物またはその医薬的に許容される塩。
【請求項２】
各R5が、独立して、アルコキシ、ヘテロシクリル、または(NRcRd)アルキルから選択される、請求項１に記載の化合物またはその医薬的に許容される塩。
【請求項３】
Xがハロである、請求項１に記載の化合物またはその医薬的に許容される塩。
【請求項４】
R2がハロである、請求項３に記載の化合物またはその医薬的に許容される塩。
【請求項５】
R1およびR2が、それらが結合する炭素原子と一緒に、1個のハロ基で適宜置換された6-員芳香環を形成する請求項１に記載の化合物またはその医薬的に許容される塩。
【請求項６】
Xが水素である、請求項１に記載の化合物またはその医薬的に許容される塩。
【請求項７】
式:
【化２】
2013514359.tif 000002
【化３】
2013514359.tif 000003
【化４】
2013514359.tif 000004
【化５】
2013514359.tif 000005
【化６】
2013514359.tif 000006
【化７】
2013514359.tif 000007
【化８】
2013514359.tif 000008
【化９】
2013514359.tif 000009
【化１０】
2013514359.tif 000010
【化１１】
2013514359.tif 000011
【化１２】
2013514359.tif 000012
【化１３】
2013514359.tif 000013
【化１４】
2013514359.tif 000014
【化１５】
2013514359.tif 000015
【化１６】
2013514359.tif 000016
【化１７】
2013514359.tif 000017
【化１８】
2013514359.tif 000018
【化１９】
2013514359.tif 000019
【化２０】
2013514359.tif 000020
【化２１】
2013514359.tif 000021
から選択される化合物またはその医薬的に許容される塩。
【請求項８】
以下の化合物:
【化２２】
2013514359.tif 000022
【表１】
2013514359.tif 000023
【化２３】
2013514359.tif 000024
【表２】
2013514359.tif 000025
から選択される化合物またはその医薬的に許容される塩。
【請求項９】
請求項１に記載の化合物もしくはその医薬的に許容される塩、および医薬的に許容される担体を含有する、HCV感染症を処置するための医薬組成物。
【請求項１０】
抗-HCV活性を有する少なくとも1つのさらなる化合物をさらに含有する、請求項９に記載の医薬組成物。
【請求項１１】
該さらなる化合物のうちの少なくとも1つがインターフェロンまたはリバビリンである、請求項１０に記載の医薬組成物。
【請求項１２】
該インターフェロンが、インターフェロンα2B、ペグインターフェロンα、コンセンサスインターフェロン、インターフェロンα2A、またはリンパ芽球様インターフェロンタウから選択される、請求項１１に記載の医薬組成物。
【請求項１３】
該さらなる化合物のうちの少なくとも1つが、インターロイキン2、インターロイキン6、インターロイキン12、1型ヘルパーT細胞応答の発生を増強する化合物、干渉RNA、アンチセンスRNA、イミキモド、リバビリン、イノシン5'-一リン酸脱水素酵素阻害剤、アマンタジン、またはリマンタジンから選択される、請求項１０に記載の医薬組成物。
【請求項１４】
該さらなる化合物のうちの少なくとも1つが、HCV感染症の処置のために、HCVメタロプロテアーゼ、HCVセリンプロテアーゼ、HCVポリメラーゼ、HCVヘリカーゼ、HCV NS4Bタンパク質、HCVエントリー、HCVアセンブリ、HCVイグレス、HCV NS5Aタンパク質、またはIMPDHから選択される標的の機能を阻害するのに有効である、請求項１０に記載の医薬組成物。
【請求項１５】
治療上有効な量の請求項１に記載の化合物もしくはその医薬的に許容される塩および抗-HCV活性を有する少なくとも1つのさらなる化合物を組み合わせて含有する、HCV感染症を処置するための剤であって、該さらなる化合物を請求項１に記載の化合物またはその医薬的に許容される塩より前、後、もしくは同時に投与することを含む、該剤。
【請求項１６】
該さらなる化合物のうちの少なくとも1つがインターフェロンまたはリバビリンである、請求項１５に記載の剤。
【請求項１７】
該インターフェロンが、インターフェロンα2B、ペグインターフェロンα、コンセンサスインターフェロン、インターフェロンα2A、またはリンパ芽球様インターフェロンタウから選択される、請求項１６に記載の剤。
【請求項１８】
該さらなる化合物のうちの少なくとも1つが、インターロイキン2、インターロイキン6、インターロイキン12、1型ヘルパーT細胞応答の発生を増強する化合物、干渉RNA、アンチセンスRNA、イミキモド、リバビリン、イノシン5'-一リン酸脱水素酵素阻害剤、アマンタジン、またはリマンタジンから選択される、請求項１５に記載の剤。
【請求項１９】
該さらなる化合物のうちの少なくとも1つが、HCV感染症の処置のために、HCVメタロプロテアーゼ、HCVセリンプロテアーゼ、HCVポリメラーゼ、HCVヘリカーゼ、HCV NS4Bタンパク質、HCVエントリー、HCVアセンブリ、HCVイグレス、HCV NS5Aタンパク質、またはIMPDHから選択される標的の機能を阻害するのに有効である、請求項１５に記載の剤。
【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
脂漏を処置するための、２，３−ジヒドロキシプロピルドデカノエートを含んでなる、抗脂漏組成物。
【請求項２】
脂漏が皮膚に関連する、請求項１に記載の抗脂漏組成物。
【請求項３】
脂漏が頭皮に関連する、請求項１に記載の抗脂漏組成物。
【請求項４】
２，３−ジヒドロキシプロピルドデカノエート組成物の総重量に対して、０．０１〜２０％、好ましくは０．５〜１０％、より具体的には１〜５重量％含む、請求項１〜３のいずれか一項に記載の抗脂漏組成物。
【請求項５】
単一の有効成分として、２，３−ジヒドロキシプロピルドデカノエートを含んでなる、請求項１〜４のいずれか一項に記載の抗脂漏組成物。
【請求項６】
アベンヌ温泉水を含んでなる、請求項１〜４のいずれか一項に記載の抗脂漏組成物。
【請求項７】
２，３−ジヒドロキシプロピルドデカノエート、アベンヌ温泉水、および美容上許容される基材を含んでなる、請求項１〜６のいずれか一項に記載の抗脂漏組成物。
【請求項８】
請求項１〜７の少なくともいずれか一項に記載の化粧用組成物を、皮膚または頭皮に適用することを含んでなる、脂漏の美容的処置の方法。
【手続補正書】
【提出日】平成25年11月20日(2013.11.20)
【手続補正１】
【補正対象書類名】特許請求の範囲
【補正対象項目名】全文
【補正方法】変更
【補正の内容】
【特許請求の範囲】
【請求項１】
第１の鎖および第２の鎖を含むＨＳＦ１に対するＲＮＡｉ剤を含む組成物であって、第１の鎖の配列は、配列番号：６３７、６３８、６３９、６８１、７８１、７８２、７８３または７８４の配列を含み、第１の鎖および／または第２の鎖は修飾されており、第１の鎖は約３０以下のヌクレオチドの長さである、組成物。
【請求項２】
ＨＳＦ１に対する第２のＲＮＡｉ剤をさらに含む、請求項１に記載の組成物。
【請求項３】
第１の鎖および第２の鎖が、両方とも約１９から約２３のヌクレオチドの長さである、請求項１に記載の組成物。
【請求項４】
ＲＮＡｉ剤が、修飾された糖骨格、ホスホロチオエート結合または２’−修飾ヌクレオチドを含む、請求項１に記載の組成物。
【請求項５】
ＲＮＡｉ剤が、２’−デオキシ、２’−デオキシ−２’−フルオロ、２’−Ｏ−メチル、２’−Ｏ−メトキシエチル（２’−Ｏ−ＭＯＥ）、２’−Ｏ−アミノプロピル（２’−Ｏ−ＡＰ）、２’−Ｏ−ジメチルアミノエチル（２’−Ｏ−ＤＭＡＯＥ）、２’−Ｏ−ジメチルアミノプロピル（２’−Ｏ−ＤＭＡＰ）、２’−Ｏ−ジメチルアミノエチルオキシエチル（２’−Ｏ−ＤＭＡＥＯＥ）および２’−Ｏ−Ｎ−メチルアセトアミド（２’−Ｏ−ＮＭＡ）からなる群から選択される２’−修飾を含む、請求項１に記載の組成物。
【請求項６】
ＲＮＡｉ剤が、平滑末端または１から４個の不対ヌクレオチドを有するオーバーハングを含む、請求項１に記載の組成物。
【請求項７】
ＲＮＡｉ剤が、１つ以上の診断化合物、レポーター基、架橋剤、ヌクレアーゼ耐性を与える部分、天然もしくは異常核酸塩基、親油性分子、コレステロール、脂質、レクチン、ステロイド、ウバオール(uvaol)、ヘコゲニン、ジオスゲニン、テルペン、トリテルペン、サルササポゲニン、フリーデリン(Friedelin)、エピフリーデラノール誘導体化リトコール酸、ビタミン、炭水化物、デキストラン、プルラン、キチン、キトサン、合成炭水化物、オリゴ乳酸エステル  １５−ｍｅｒ、天然ポリマー、低もしくは中間分子量ポリマー、イヌリン、シクロデキストリン、ヒアルロン酸、タンパク質、タンパク質−結合剤、インテグリン標的分子、ポリカチオン性物質、ペプチド、ポリアミン、ペプチド模倣物および／またはトランスフェリンに結合している、請求項１に記載の組成物。
【請求項８】
第１の鎖および第２の鎖を含むＨＳＦ１に対するＲＮＡｉ剤を含む組成物であって、第１の鎖の配列は、配列番号：６３７、６３８、６３９、６８１、７８１、７８２、７８３または７８４の配列である、組成物。
【請求項９】
組成物が、ＨＳＦ１に対する第２のＲＮＡｉ剤をさらに含む、請求項８に記載の組成物。
【請求項１０】
第１の鎖および第２の鎖が、両方とも１９から２３のヌクレオチドの長さである、請求項８に記載の組成物。
【請求項１１】
ＲＮＡｉ剤が、修飾された糖骨格、ホスホロチオエート結合または２’−修飾ヌクレオチドを含む、請求項８に記載の組成物。
【請求項１２】
ＲＮＡｉ剤が、２’−デオキシ、２’−デオキシ−２’−フルオロ、２’−Ｏ−メチル、２’−Ｏ−メトキシエチル（２’−Ｏ−ＭＯＥ）、２’−Ｏ−アミノプロピル（２’−Ｏ−ＡＰ）、２’−Ｏ−ジメチルアミノエチル（２’−Ｏ−ＤＭＡＯＥ）、２’−Ｏ−ジメチルアミノプロピル（２’−Ｏ−ＤＭＡＰ）、２’−Ｏ−ジメチルアミノエチルオキシエチル（２’−Ｏ−ＤＭＡＥＯＥ）、および２’−Ｏ−Ｎ−メチルアセトアミド（２’−Ｏ−ＮＭＡ）からなる群から選択される２’−修飾を含む、請求項８に記載の組成物。
【請求項１３】
ＲＮＡｉ剤が、平滑末端または１から４個の不対ヌクレオチドを有するオーバーハングを含む、請求項８に記載の組成物。
【請求項１４】
ＲＮＡｉ剤が、１つ以上の診断化合物、レポーター基、架橋剤、ヌクレアーゼ耐性を与える部分、天然もしくは異常核酸塩基、親油性分子、コレステロール、脂質、レクチン、ステロイド、ウバオール、ヘコゲニン、ジオスゲニン、テルペン、トリテルペン、サルササポゲニン、フリーデリン、エピフリーデラノール誘導体化リトコール酸、ビタミン、炭水化物、デキストラン、プルラン、キチン、キトサン、合成炭水化物、オリゴ乳酸エステル  １５−ｍｅｒ、天然ポリマー、低もしくは中間分子量ポリマー、イヌリン、シクロデキストリン、ヒアルロン酸、タンパク質、タンパク質−結合剤、インテグリン標的分子、ポリカチオン性物質、ペプチド、ポリアミン、ペプチド模倣物および／またはトランスフェリンに結合している、請求項８に記載の組成物。
【請求項１５】
薬学的に許容される担体ならびに治療有効量の第１の鎖および第２の鎖を含むＨＳＦ１に対するＲＮＡｉ剤を含む組成物を個体に投与する工程を含む、癌に罹患している個体におけるＨＳＦ１の発現を阻害する方法であって、第１の鎖の配列は、配列番号：６３７、６３８、６３９、６８１、７８１、７８２、７８３または７８４の配列を含み、そして／または第２の鎖の配列は、配列番号：１２５、１２６、１２７、１６９、２６９、２７０、２７１または２７２の配列を含み、第１の鎖および／または第２の鎖は修飾されているか、または修飾されておらず、第１の鎖および／または第２の鎖は約３０以下のヌクレオチドの長さであり、所望により、ＨＳＦ１に対する第２のＲＮＡｉ剤を投与する工程をさらに含む、方法。
【請求項１６】
膀胱、骨、乳房、子宮頸、大腸、結腸直腸、子宮内膜、線維肉腫、胃腸、造血器、腸、腎臓、肝臓、肺、リンパ腫、神経外胚葉、神経芽腫、ユーイング肉腫、骨肉腫、卵巣、膵臓、胸膜、前立腺、皮膚、扁平上皮、胃、および精巣癌、白血病、前骨髄球性白血病、ならびにホジキン病のリストから選択される癌である、請求項１５に記載の方法。
【請求項１７】
さらなる癌処置を施す工程をさらに含む、請求項１５に記載の方法。
【請求項１８】
第１の鎖および第２の鎖を含むＨＳＦ１に対するＲＮＡｉ剤を含む組成物であって、第１の鎖の配列は、配列番号：６３７、６３８、６３９、６８１、７８１、７８２、７８３または７８４の配列であり、そして／または第２の鎖の配列は、配列番号：１２５、１２６、１２７、１６９、２６９、２７０、２７１または２７２の配列であり、第１の鎖および／または第２の鎖は修飾されている、組成物。
【請求項１９】
ＲＮＡｉ剤が、インビトロでＨｅＬａ細胞および／またはＷＩ−３８細胞におけるＨＳＦ１の発現を少なくとも約８０％阻害することができる、請求項１８に記載の組成物。
【請求項２０】
ＲＮＡｉ剤が、インビトロでＷＩ−３８細胞におけるＨＳＦ１の発現を少なくとも約９０％阻害することができる、請求項１８に記載の組成物。
【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
GLP-1(7-37)(配列番号1)の31位に相当する位置におけるヒスチジン残基、GLP-1(7-37)(配列番号1)の34位に相当する位置におけるグルタミン残基及びGLP-1(7-37)(配列番号1)と比較して最大10個のアミノ酸改変を含み、前記ヒスチジン残基がH31で示され、前記グルタミン残基がQ34で示されるGLP-1アナログ、又は薬学的に許容されるその塩、アミド若しくはエステル。
【請求項２】
請求項1に記載のアナログの誘導体、又は薬学的に許容されるその塩、アミド若しくはエステル。
【請求項３】
アルブミン結合部分がアナログのリジン残基に付着されている、請求項2に記載の誘導体。
【請求項４】
前記アルブミン結合部分が化学式1、化学式2、化学式3及び化学式4
化学式1:   CH3-(CH2)x-CO-*
化学式2:   HOOC-(CH2)x-CO-*
化学式3:   HN4C -(CH2)x-CO-*
化学式4:   HOOC-C6H4-O-(CH2)y-CO-*
(式中xは6〜18の範囲の整数、yは3〜17の範囲の整数)から選択される持続時間延長性部分を含む、請求項3に記載の誘導体。
【請求項５】
アルブミン結合部分が化学式5、化学式6、化学式7、化学式8、化学式9及び化学式10
化学式5:   *-NH-CH2-CH2-(O-CH2-CH2)k-O-(CH2)n-CO-*
化学式6:   *-NH-C(COOH)-(CH2)2-CO-*
化学式7:   *-N-C((CH2)2COOH)-CO-*
化学式8:   *-NH-C6H8-CO-*
化学式9:   *-NC5H8-CO-*
化学式10:   *-NH-SO2-(CH2)3-CO-*
(式中kは1〜5の範囲の整数、nは1〜5の範囲の整数)から選択されるリンカーをさらに含む、請求項4に記載の誘導体。
【請求項６】
化学式20、化学式21、化学式22、化学式23、化学式24、化学式25、化学式26、化学式27、化学式28、化学式29、化学式30、化学式31、化学式32、化学式33、化学式34、化学式35、化学式36、化学式37、化学式38、化学式39、化学式40、化学式41、化学式42、化学式43、化学式44、化学式45、化学式46、化学式47、化学式48、化学式49、化学式50、化学式51、化学式52、化学式53、化学式54、化学式55、化学式56、化学式57、化学式58、化学式59、化学式60、化学式61、化学式62、化学式63、化学式64、化学式65、及び化学式66から選択されるGLP-1アナログ若しくは誘導体、又は薬学的に許容されるその塩、アミド若しくはエステル。
【請求項７】
名称により特徴づけられ、本明細書の実施例1〜47の各々の化合物名称のリストから選択される、GLP-1アナログ若しくは誘導体、又は薬学的に許容されるその塩、アミド若しくはエステル。
【請求項８】
請求項6に記載のGLP-1アナログ又は誘導体である、請求項7に記載のGLP-1アナログ又は誘導体。
【請求項９】
化学式67及び
化学式68から選択され、
PG基が保護基を表し、
化学式67の持続時間延長性部分の遠位の*-COOH基が、任意
でまた保護されている中間生成物。
【請求項１０】
請求項1から8のいずれか一項に記載のアナログ又は誘導体を含む、薬剤。
【請求項１１】
全ての型の糖尿病並びに摂食障害、心血管疾患、胃腸疾患、糖尿病合併症、重篤疾患及び/若しくは多嚢胞性卵巣症候群などの関連疾患の治療及び/若しくは予防するための、並びに/又は脂質パラメーターを改善するための、β細胞機能を改善するための、並びに/又は糖尿病性疾患の進行を遅延させる若しくは予防するための、請求項1から8のいずれか一項に記載のアナログ又は誘導体を含む、薬剤。
【請求項１２】
全ての型の糖尿病並びに摂食障害、心血管疾患、胃腸疾患、糖尿病合併症、重篤疾患及び/若しくは多嚢胞性卵巣症候群などの関連疾患の治療及び/若しくは予防のための、並びに/又は脂質パラメーターを改善するための、β細胞機能を改善するための、並びに/又は糖尿病性疾患の進行を遅延させる若しくは予防するための薬剤の製造における、請求項1から8のいずれか一項に記載のアナログ又は誘導体の使用。
【手続補正書】
【提出日】平成25年12月13日(2013.12.13)
【手続補正１】
【補正対象書類名】特許請求の範囲
【補正対象項目名】全文
【補正方法】変更
【補正の内容】
【特許請求の範囲】
【請求項１】
次の式（Ｉ）の化合物
【化１】
2013514329.tif 000001
式中、
Ｘはアルキル、Ｃ（Ｙ）２ＣＯＯＺ又はリンカーであり、
Ｙはアルキル、−ＰＥＧ、−ＣＯＯＨ、−ＰＯ（ＯＨ）２、−Ｈ又はリンカーであり、
Ｒはアルキル、−ＰＥＧ、−Ｎ（アルキル）２、−Ｎ（ＰＥＧ）２、−Ｏ（アルキル）、−Ｏ（ＰＥＧ）、−ＮＭｅ２、−ＮＨ２、−ＯＭｅ、−ＯＨ、−Ｈ又はリンカーであり、
ＺはＭｎ（ＩＩ）又は−Ｈであるが、
存在する３つのＸ基のうちの２つがＣ（Ｙ）２ＣＯＯＺであること、及び
ＺがＭｎ（ＩＩ）のときは２つのＺ含有Ｘ基が１つのＭｎ（ＩＩ）を共有することを条件とする。
【請求項２】
Ｙがメチル、−ＣＯＯＨ、−ＰＯ（ＯＨ）２、−Ｈ又はリンカーである、請求項１記載の化合物。
【請求項３】
Ｙが−Ｈ又はリンカーである、請求項２記載の化合物。
【請求項４】
ＺがＭｎ（ＩＩ）である、請求項１記載の化合物。
【請求項５】
Ｒがメチル、−ＮＭｅ２、−ＮＨ２、−ＯＭｅ、−ＯＨ又はリンカーである、請求項１記載の化合物。
【請求項６】
リンカー基が、以下の基からなる群から選択される、請求項１乃至請求項５のいずれか１項記載の化合物。
【化２】
2013514329.tif 000002
式中、ｎは１〜７の整数である。
【請求項７】
次の式（ＩＩ）で表される、請求項１乃至請求項６のいずれか１項記載の化合物。
【化３】
2013514329.tif 000003
【請求項８】
リンカーを介して他の分子と結合している、請求項１乃至請求項７のいずれか１項記載の化合物。
【請求項９】
他の原子が、Ｏ、Ｓ、Ｐ、又はＮ、好ましくはＮである、請求項８記載の化合物。
【請求項１０】
前記他の分子が、芳香族環、イノシトール又は炭水化物、又はそれらの誘導体である、請求項８記載の化合物。
【請求項１１】
前記他の分子が、天然又は合成ペプチド、アミノ酸又はその誘導体、ポリアミン及びその誘導体、ペプチド模倣体、ポリペプチド、タンパク質、抗体、天然又は合成ポリマー、デンドリマー、ナノ粒子、又は親油性化合物である、請求項８記載の化合物。
【請求項１２】
前記他の分子がデンドリマーである、請求項１１記載の化合物。
【請求項１３】
請求項１乃至請求項１２のいずれか１項記載の化合物と１種以上の生理的に許容される担体とを含む組成物。
【請求項１４】
ＭＲ造影製剤として使用される診断薬であって、請求項１乃至請求項１１のいずれか１項記載の化合物を含む診断薬。
【手続補正書】
【提出日】平成25年12月4日(2013.12.4)
【手続補正１】
【補正対象書類名】特許請求の範囲
【補正対象項目名】全文
【補正方法】変更
【補正の内容】
【特許請求の範囲】
【請求項１】
式（Ｉ）の化合物またはその薬学上許容される塩：
【化１】
2013514384.tif 000001
（式中、
Ｒ１は、
−Ｈ、ハロ、ＣＮ、（ＣＨ２）ｎＮＲａＲａ、Ｃ（Ｏ）ＮＲａＲａ、Ｃ（Ｏ）ＯＲｂ、ＮＲｂＣ（Ｏ）Ｒｂ、（ＣＨ２）ｍＯＲｂ、
−ヘテロシクロアルキルで置換されていてもよいＣ１−Ｃ６アルキル、
−ヘテロシクロアルキル、
−ＯＨ、Ｃ１−Ｃ３アルコキシ、ＮＲａＲａまたはヘテロシクロアルキルで置換されていてもよいＣ１−Ｃ６アルキニル、
−（ＣＨ２）ｎＲｃ（ここで、Ｒｃは、Ｃ１−Ｃ３アルコキシ、Ｃ１−Ｃ３アルキル、ＮＲａＲａおよびハロからなる群から選択される１つ以上の置換基で置換されていてもよい）、および
−（ＣＨ２）ｎＲｄ（ここで、Ｒｄは、Ｃ１−Ｃ３アルコキシ、Ｃ１−Ｃ３アルキル、ＮＲａＲａおよびハロからなる群から選択される１つ以上の置換基で置換されていてもよい）
からなる群から選択され、
Ｒ２は、
−Ｈ、ハロ、ＣＮ、Ｃ（Ｏ）ＮＲａＲａ、
−Ｃ１−Ｃ６アルキル、
−ヘテロシクロアルキル、
−（ＣＨ２）ｎＲｃ（ここで、Ｒｃは、Ｃ１−Ｃ３アルコキシ、（ＣＨ２）ｎＮＲａＣ（Ｏ）ＯＲａ、（ＣＨ２）ｎＮＲａＲａ、ハロ、１〜３個のＦで置換されていてもよいＣ１−Ｃ４アルキル、およびＣ（Ｏ）ＯＲｂで置換されていてもよいヘテロシクロアルキルからなる群から選択される１つ以上の置換基で置換されていてもよい）、および
−（ＣＨ２）ｎＲｄ（ここで、Ｒｄは、Ｃ１−Ｃ４アルキル、Ｃ１−Ｃ３アルコキシ、ハロ、ヘテロシクロアルキルおよび（ＣＨ２）ｎＮＲａＲａからなる群から選択される１つ以上の置換基で置換されていてもよい）
からなる群から選択され、
Ｒ３は、
−Ｒｃ（ここで、Ｒｃは、ハロで置換されていてもよい）で置換されていてもよいＣ１−Ｃ６アルキル、
−ハロおよびＣ（Ｏ）ＯＲｂ（ここで、Ｒｂは、フェニルで置換されていてもよい）からなる群から選択される１つ以上の置換基で置換されていてもよいヘテロシクロアルキル、−シクロアルキル、
−Ｃ１−Ｃ３アルコキシ、ＮＲａＲａ、ＮＯ２、ハロ、および１〜３個のＦで置換されていてもよいＣ１−Ｃ４アルキルからなる群から選択される１つ以上の置換基で置換されていてもよいＲｃ、ならびに
−Ｃ１−Ｃ４アルキル、Ｃ１−Ｃ３アルコキシ、ハロおよびフェニルからなる群から選択される１つ以上の置換基で置換されていてもよいＲｄ
からなる群から選択され、
Ｒ４は、Ｈ、Ｃ１−Ｃ６アルキル、Ｃ１−Ｃ３アルコキシ、ハロ、ＣＮまたはＯＨであり、
各Ｒａは、ＨもしくはＣ１−Ｃ６アルキルであるか、または両方のＲａ基は、それぞれの場合において独立して、それらが結合している窒素原子と一体となって、５〜７員ヘテロシクロアルキル環を形成し、
各Ｒｂは、ＨまたはＣ１−Ｃ６アルキルであり、
各Ｒｃはフェニルであり、
各Ｒｄはヘテロアリールであり、
各ｍは、１または２であり、かつ
各ｎは、０、１、２または３である）。
【請求項２】
Ｒ１がＣ１−Ｃ３アルキルである、請求項１に記載の化合物または塩。
【請求項３】
Ｒ１がＨである、請求項１に記載の化合物または塩。
【請求項４】
Ｒ１がピラゾリルである、請求項１に記載の化合物または塩。
【請求項５】
Ｒ２が、ジメチルアミノ、Ｆ、ピロリジニルおよびモルホリニルからなる群から選択される１つ以上の置換基で置換されたフェニルである、請求項１〜４のいずれか一項に記載の化合物または塩。
【請求項６】
Ｒ２が、ジメチルアミノ、ピロリジニルまたはモルホリニルで置換されたピリジニルである、請求項１〜４のいずれか一項に記載の化合物または塩。
【請求項７】
Ｒ３が、１つ以上のＣｌまたはＣ１−Ｃ３アルコキシで置換されていてもよいフェニルである、請求項１〜６のいずれか一項に記載の化合物または塩。
【請求項８】
Ｒ３が、Ｃ１−Ｃ４アルキルで置換されていてもよいヘテロアリールである、請求項１〜６のいずれか一項に記載の化合物または塩。
【請求項９】
Ｒ４がメチルである、請求項１〜８のいずれか一項に記載の化合物または塩。
【請求項１０】
Ｒ４がＨである、請求項１〜８のいずれか一項に記載の化合物または塩。
【請求項１１】
実施例１〜１２６の化合物またはその塩である、請求項１に記載の式（Ｉ）の化合物またはその塩。
【請求項１２】
請求項１〜１１のいずれか一項に記載の化合物またはその薬学上許容される塩と、薬学上許容される担体または賦形剤とを含んでなる、医薬組成物。
【請求項１３】
ＮＡＤＰＨオキシダーゼＩＩ酵素ＮＯＸ２が介在する疾患の治療または予防において使用するための、請求項１２に記載の医薬組成物。
【請求項１４】
前記疾患が筋萎縮性側索硬化症である、請求項１３に記載の医薬組成物。
【手続補正書】
【提出日】平成25年12月12日(2013.12.12)
【手続補正１】
【補正対象書類名】特許請求の範囲
【補正対象項目名】全文
【補正方法】変更
【補正の内容】
【特許請求の範囲】
【請求項１】
必要とする対象における心筋虚血を治療または予防する方法であって、前記対象の心臓細胞における表１および２に記載された１種以上のｍｉＲＮＡの発現または活性を調節することを含む方法。
【請求項２】
前記１種以上のｍｉＲＮＡが、ｍｉＲ−３２０、ｍｉＲ−１９９ａ、ｍｉＲ−１５ファミリーメンバー、ｍｉＲ−２１、ｍｉＲ−２６ａ、ｌｅｔ−７ｂ、ｍｉＲ−２１４、ｍｉＲ−１０ａ、ｍｉＲ−１０ｂ、ｍｉＲ−５７４、ｍｉＲ−９２ａ、ｍｉＲ−４９９、ｍｉＲ−１０１ａ、ｍｉＲ−１０１ｂ、ｍｉＲ−１２５ｂ、ｍｉＲ−１２６、ｍｉＲ−３０ファミリーメンバー、ｍｉＲ−１４３、ｍｉＲ−１４５、ｍｉＲ−１８５、ｍｉＲ−３４ａ、ｍｉＲ−１、ｍｉＲ−１３３、ｍｉＲ−２１０、およびｍｉＲ−２９ａ〜ｃからなる群から選択される、請求項１に記載の方法。
【請求項３】
前記調節が、前記対象にｍｉＲ−３２０、ｍｉＲ−１９９ａ、ｍｉＲ−１５ファミリーメンバー、ｍｉＲ−９２ａ、ｍｉＲ−２１、ｍｉＲ−４９９、およびｍｉＲ−３０ファミリーメンバーからなる群から選択される１種以上のｍｉＲＮＡの阻害剤を投与することを含む、請求項２に記載の方法。
【請求項４】
１種以上のｍｉＲＮＡの前記阻害剤が、アンチセンスオリゴヌクレオチドまたはアンタゴｍｉｒである、請求項３に記載の方法。
【請求項５】
前記アンチセンスオリゴヌクレオチドが、前記１種以上のｍｉＲＮＡの成熟配列と少なくとも部分的に相補的である配列を含む、請求項４に記載の方法。
【請求項６】
前記アンチセンスオリゴヌクレオチドが、少なくとも１つの糖および／または骨格修飾を含む、請求項４に記載の方法。
【請求項７】
前記アンチセンスオリゴヌクレオチドが、約８〜約１８ヌクレオチド長である、請求項４に記載の方法。
【請求項８】
前記調節が、前記対象にｍｉＲ−１２６、ｍｉＲ−１４３、ｍｉＲ−２１０、およびｍｉＲ−２９ａ〜ｃからなる群から選択される１種以上のｍｉＲＮＡのアゴニストを投与することを含む、請求項２に記載の方法。
【請求項９】
１種以上のｍｉＲＮＡの前記アゴニストが、前記１種以上のｍｉＲＮＡの成熟配列を含むポリヌクレオチドである、請求項８に記載の方法。
【請求項１０】
前記アゴニストが発現構築物から発現される、請求項９に記載の方法。
【請求項１１】
前記阻害剤またはアゴニストが、静脈内投与、皮下投与、または心臓組織内への直接注射によって前記対象に投与される、請求項３または８に記載の方法。
【請求項１２】
前記阻害剤またはアゴニストが、経口、経皮、持続放出、制御放出、遅延放出、坐剤、カテーテル、または舌下投与によって前記対象に投与される、請求項３または８に記載の方法。
【請求項１３】
前記対象が冠動脈疾患を有する、請求項１に記載の方法。
【請求項１４】
前記１種以上のｍｉＲＮＡの発現または活性の調節後、心筋細胞の喪失が前記対象において軽減または抑制される、請求項１に記載の方法。
【請求項１５】
第２の心臓治療剤を投与することをさらに含む、請求項１に記載の方法。
【請求項１６】
前記第２の心臓治療剤が、抗狭心症薬、β遮断薬、イオノトロープ、利尿薬、ＡＣＥ阻害剤、２型アンジオテンシンアンタゴニスト、エンドセリン受容体アンタゴニスト、ＨＤＡＣ阻害剤、およびカルシウムチャネル遮断薬からなる群から選択される、請求項１２に記載の方法。
【請求項１７】
前記対象がヒトである、請求項１に記載の方法。
【請求項１８】
必要とする対象における低酸素に応答した心筋細胞の喪失を予防または軽減する方法であって、ｍｉＲ−１９９ａ、ｍｉＲ−３２０の阻害剤、および／またはｍｉＲ−２１０のアゴニストを前記対象に投与することを含む方法。
【請求項１９】
前記ｍｉＲ−１９９ａまたはｍｉＲ−３２０の阻害剤が、アンチセンスオリゴヌクレオチドまたはアンタゴｍｉｒである、請求項１８に記載の方法。
【請求項２０】
前記ｍｉＲ−２１０のアゴニストが、ｍｉＲ−２１０の成熟配列を含むポリヌクレオチドである、請求項１８に記載の方法。
【請求項２１】
前記アゴニストがＨＩＦ１αである、請求項１８に記載の方法。
【請求項２２】
前記アゴニストが発現構築物から発現される、請求項１８に記載の方法。